(57)【要約】【課題】薄型化により効率的な空間利用が可能であって、設置場所の態様に容易に追従し得、優れた音響効果及び装飾効果を有するアンテナ一体型スピーカ用基板、及び、アンテナ一体型スピーカを提供する。【解決手段】基板１０は、アンテナ導体１１１、１１２と、スピーカコイル導体１２と、基板部１５とを含む。アンテナ導体１１１、１１２と、スピーカコイル導体１２とは、基板部１５上に備えられている。アンテナ一体型スピーカは、プリント基板１０と、マグネットシート４０とを有する。マグネットシート４０は、プリント基板１０と一面が対向している。【選択図】      図３
2004364045.tif 000002
【特許請求の範囲】
【請求項１】
アンテナ導体と、スピーカコイル導体と、絶縁基板とを含むアンテナ一体型スピーカ用基板であって、
前記アンテナ導体と、前記スピーカコイル導体とは、前記絶縁基板上に備えられている
基板。
【請求項２】
請求項１に記載された基板であって、
前記アンテナ導体と、前記スピーカコイル導体とは、前記絶縁基板において、同一平面上に備えられている
基板。
【請求項３】
基板と、マグネットシートとを有するアンテナ一体型スピーカであって、
前記基板は、請求項１又は２の何れかに記載されたものでなり、
前記マグネットシートは、その一面が前記基板と対向している
アンテナ一体型スピーカ。
【発明の詳細な説明】
【０００１】
【発明の属する技術分野】
本発明はアンテナ一体型スピーカ用基板、及び、アンテナ一体型スピーカに関する。
【０００２】
【従来の技術】
近年、自動車の分野において利用されるＦＭ波及びＡＭ波受信用アンテナとして、窓ガラスにプリント配線された所謂ガラスアンテナが、薄型化に優れたものとして使用される場合が多くなってきている。
【０００３】
特許文献１は、フロントウィンドウに配設されるＦＭ波及びＡＭ波受信用のアンテナ素子を含む車両用アンテナ構造であって、前記フロントウィンドウの上縁部近傍に配設されるループ形状の第１アンテナ素子と、前記第１アンテナ素子がなすループ形状の下辺部に直流的に接続されると共に、前記フロントウィンドウの下縁部に向かって略垂直に延設された下端部を有する１本の第２アンテナ素子と、前記第１アンテナ素子がなすループ形状の上辺部に設けられた給電点とを備えることを特徴とする車両用アンテナ構造を開示している。
【０００４】
また、スピーカについても、高い出力音レベルを広い帯域幅にわたり終始安定して再生し得るという高性能化の要請に加え、自動車等の限られた設置空間内に用いられる場合には、平坦でコンパクトな構造が要求される。
【０００５】
特許文献２は、絶縁性薄膜の表面に導電性材料からなる所定パターンの膜状のコイルが形成されているスピーカ用振動板であって、前記膜状のコイルが、導電性材料をスパッタリングして形成された第１の金属膜の表面に電解メッキ法により導電性材料からなる第２の金属膜を付着させた重層構造の金属層からなることを特徴とするスピーカ用振動板を開示している。
【０００６】
上述したように、従来は、アンテナ及びスピーカのそれぞれを、個別的に構成し、それぞれにおいて小型化、及び、薄型化を図ろうとしていた。このため、アンテナ及びスピーカを別々の部品として製造し、これを別々の場所に独立して配置する他はなく、従って、コスト高になるばかりか、自動車車内空間等における占有面積が増大するという問題点があった。
【０００７】
【特許文献１】
特開２００１−２１１０２１号公報
【特許文献２】
特開２０００−３４５３６９号公報
【０００８】
【発明が解決しようとする課題】
本発明の課題は、コストの安価なアンテナ一体型スピーカを実現するのに適した基板、及び、アンテナ一体型スピーカを提供することである。
【０００９】
本発明のもう１つの課題は、効率的な空間利用に適うアンテナ一体型スピーカを実現するのに適した基板、及び、アンテナ一体型スピーカを提供することである。
【００１０】
本発明の更にもう１つの課題は、設置場所の態様に追従可能なアンテナ一体型スピーカを実現するのに適した基板、及び、アンテナ一体型スピーカを提供することである。
【００１１】
【課題を解決するための手段】
上述した課題を解決するため、本発明に係るアンテナ一体型スピーカ用基板は、アンテナ導体と、スピーカコイル導体と、絶縁基板とを含む。前記アンテナ導体と、前記スピーカコイル導体とは、前記絶縁基板上に備えられている。アンテナ及びスピーカは、元々、受信回路、及び、音声増幅回路などの主要な電気回路装置から独立して外部に設置されるもの、という点で共通性がある。本発明では、この共通性に着目して、両者を基板上で一体化したものである。
【００１２】
本発明に係る基板は、アンテナ一体型スピーカを構成するために用いられる。このアンテナ一体型スピーカは、上述した本発明に係る基板と、マグネットシートとを有する。前記マグネットシートは、その一面が前記基板と対向している。
【００１３】
ここで、本発明に係るアンテナ一体型スピーカ用基板は、アンテナ導体と、スピーカコイル導体とが、絶縁基板上に備えられているから、アンテナ及びスピーカコイルを別々に作成する必要はない。このため、製造コストが安価になると共に、小型、かつ、薄型になる。従って、安価で、小型、かつ、薄型のアンテナ一体型スピーカを実現できる。
【００１４】
また、アンテナ導体と、スピーカコイル導体とは、絶縁基板上に備えられているから、絶縁基板の形状選定によって、設置対象物の態様に追従し得るアンテナ一体型スピーカを実現できる。
【００１５】
更に、絶縁基板の形状選定によって、設置すべき空間に適した利用効率の高いアンテナ一体型スピーカを実現し得る。しかも、マグネットシートを用いるので、基板の有する薄型化という利点を損なうことがない。
【００１６】
本発明の他の目的、構成及び利点については、添付図面を参照し、更に詳しく説明する。添付図面は、単に、例示に過ぎない。
【００１７】
【発明の実施の形態】
図１は、本発明に係るアンテナ一体型スピーカ用基板の平面図である。図１を参照すると、基板は、アンテナ導体１１１、１１２と、スピーカコイル導体１２と、絶縁基板１５とを含む。
【００１８】
アンテナ導体１１１、１１２は、銀、銅等の導電性金属材料でなる線状導体であって、それぞれ一端が開放され、他端が端子１１３を通して、受信回路（図示しない）に接続される。スピーカコイル導体１２も、銀、銅等の導電性金属材料でなり、端子１２１、１２２を通して、音声増幅回路（図示しない）に接続される。音声増幅回路は、上述した受信回路から出力された信号を増幅し、スピーカを駆動するためのものである。
【００１９】
絶縁基板１５は、平板状体であって、合成樹脂等の絶縁材料でなる。これらは、当該技術分野において、周知の構成部分であるから、詳細は省略する。
【００２０】
絶縁基板１５上には、アンテナ導体１１１、１１２と、スピーカコイル導体１２とが備えられている。図示実施例では、アンテナ導体１１１、１１２と、スピーカコイル導体１２とは、絶縁基板１５において、同一平面上に備えられる。但し、図示するアンテナ導体１１１、１１２及びスピーカコイル導体１２の配置構造は、例示に過ぎない。他の採り得る配置構造例につき、図１１以下において説明する。
【００２１】
上述したように、基板は、アンテナ導体１１１、１１２及びスピーカコイル導体１２とが、平板状である絶縁基板１５上に備えられているから、小型、かつ、薄型のアンテナ一体型スピーカ用基板を実現することができる。
【００２２】
また、アンテナ導体１１１、１１２及びスピーカコイル導体１２とは、絶縁基板１５上に備えられている。即ち、アンテナ導体１１１、１１２と、スピーカコイル導体１２とは、絶縁基板１５の形状に合わせて成形されるから、絶縁基板１５の形状選定により、設置場所に応じた適当な形状を有する基板を得ることができる。例えば、図示する絶縁基板１５は長方形形状であるが、絶縁基板１５を正方形形状、多角形形状、円形形状等に成形することで、多様な形状の基板を得ることができる。
【００２３】
さらに、アンテナ導体１１１、１１２及びスピーカコイル導体１２は、基体部１５の同一平面側に形成されているから、これらを同一の工程によって構成できる。従って、製造コストが安価になる。アンテナ導体１１１、１１２及びスピーカコイル導体１２は、スクリーン印刷またはフォトリソグラフィ工程の適用によって形成される。
【００２４】
上述した基板は、マグネットシート等と組み合わされて、アンテナ一体型スピーカを構成する。次に、本発明に係る基板１０を用いたアンテナ一体型スピーカについて説明する。
【００２５】
図２はアンテナ一体型スピーカの平面図、図３は図２に示したアンテナ一体型スピーカの背面図、図４は図３の４−４線に沿った断面図、図５は図４に示したアンテナ一体型スピーカの各構成部分を分解して示す図である。
【００２６】
図２乃至図５を参照すると、アンテナ一体型スピーカは、図１に示した基板１０と、マグネットシート４０とを有する。マグネットシート４０は、好ましくは可撓性を有するシート状磁石部材であり、一面側が基板１０と対向して配置されている。マグネットシート４０は、多数の貫通孔４１を有する。貫通孔４１は報音孔となる。
【００２７】
図２乃至図５を参照すると、アンテナ一体型スピーカは、さらに絶縁シート５０を有する。絶縁シート５０は、好ましくはパラフィン等の絶縁材料でなるシート状部材であって、マグネットシート４０と、基板１０との間に配置されている。絶縁シート５０は、マグネットシート４０と、基板１０とを電気的に絶縁する。
【００２８】
上述のようにアンテナ一体型スピーカは、ともに薄型構造である基板１０と、マグネットシート４０とを含むから、効率的な空間利用が可能になる。同様に、絶縁シート５０はシート状部材であるから、薄型で、効率的な空間利用が可能となる。
【００２９】
マグネットシート４０は、一面側が基板１０と対向して配置されている。スピーカコイル導体１２に音声電気信号が供給された場合、スピーカコイル導体１２に流れる音声電流により生じる磁界と、マグネットシート４０の磁界との相互作用により、基板１０またはマグネットシート４０が、流れる音声電流の周波数に応じて振動し、振動音が放射される。振動音は、主に、マグネットシート４０の貫通孔４１を通して放射される。
【００３０】
図６はアンテナ一体型スピーカの別の実施例を示す背面図、図７は図６の７−７線に沿った断面図を分解して示した図である。図示において、図１乃至図５に現れた構成部分と同一の構成部分には、同一の参照符号を付し、重複説明を省略する。
【００３１】
図６及び図７を参照すると、アンテナ一体型スピーカは支持板６０を有する。支持板６０は、好ましくは合成樹脂材料等からなる平板状部材であって、開口部６１を有する。開口部６１は、スピーカコイル導体１２と相対向するように位置決めして配置されている。
【００３２】
図示されたアンテナ一体型スピーカは支持板６０を有するから、機械的強度を向上させることができる。
【００３３】
更に、開口部６１は、基板１０におけるスピーカコイル導体１２の配置に相対向するように位置決めして、配置されているから、支持板６０の厚みを利用して、共鳴振動などの音響振動空間を形成し得る。従って、優れた音響効果を得ることができる。また、基板１０、マグネットシート４０、絶縁シート５０は薄型であるから、薄型による上記効果を得ることができる。
【００３４】
具体的に、アンテナ一体型スピーカは、１５ｍｍ以下の厚み寸法に設定することができる。図面からは必ずしも明らかではないが、図示するアンテナ一体型スピーカは、厚み寸法が７ｍｍ程度に設定されている。従って、従来のスピーカが６１ｍｍ程度の厚み寸法であったのと比較して、本発明に係るアンテナ一体型スピーカは、より薄型化に成功している。
【００３５】
図８は本発明に係るアンテナ一体型スピーカの使用態様を示す一部省略側面図、図９は図８を外側から見た一部省略側面図、図１０は図８及び図９に示すアンテナ一体型スピーカの各構成部分を分解して示す図である。図示からは必ずしも明らかではないが、アンテナ一体型スピーカ１は、電源等、回路形成に必要な電気的装置に接続されている。
【００３６】
図示実施例では、基板１０、絶縁シート５０、マグネットシート４０、支持板６０を適当な形状に成形して、自動車のリアサイドウィンド８０に対し、アンテナ一体型スピーカ１を設置してある。リアサイドウィンド８０と、支持板６０との間には、装飾シート７０が備えられている。より詳細に説明すると、支持板６０は、アンテナ一体型スピーカ１の機械的強度を確保する補強部材であるとともに、装飾シート７０の載置部材として用いられている。
【００３７】
上述したように、アンテナ一体型スピーカ１は薄型構造を有し、軽量であるから、リアサイドウィンド８０に容易に設置することができる。
【００３８】
アンテナ一体型スピーカ１が装飾シート７０を備えることにより、リアサイドウィンド８０側から、開口部６１を通して視認されるスピーカコイル導体等の内部構造を覆い隠すことができる。従って、アンテナ一体型スピーカ１は、優れた装飾効果を有する。
【００３９】
また、装飾シート７０を備えることにより、結露や塵芥等の異物が、開口部６１から侵入することも防止できる。従って、アンテナ一体型スピーカ１は、動作の信頼性が確保される。
【００４０】
図１１は、本発明に係るアンテナ一体型スピーカ用基板の別の実施例を示す平面図である。図１１に示す基板は、アンテナ導体１１１、１１２及びスピーカコイル導体１２が、互いに入り組んで配置されている点に特徴がある。図１１に示した配置構造によると、絶縁基板１５の一面の面積を有効に利用し、装置の小型化、薄型化を達成することができる。
【００４１】
図１２は本発明に係る基板のさらに別の実施例を示す平面図、図１３は図１２に示した基板の背面図である。図示実施例では、絶縁基板１５の一面側にスピーカコイル導体１２を備え、他面側にアンテナ導体１１１、１１２を備える。この構造によれば、絶縁基板１５の両面の面積を有効に利用し、特性の向上、小型化及び薄型化を達成することができる。
【００４２】
図１４はアンテナ一体型スピーカのさらに別の実施例を示す背面図、図１５は図１４の１５−１５線に沿った断面において構造を示す図である。実施例において、アンテナ導体１１１、１１２と、スピーカコイル導体１２は、絶縁基板１５の両側面にそれぞれ設けられている。図示実施例において、基板１０のスピーカコイル導体１２の載置面側と、マグネットシート４０とは相互に対向して設けられる。
【００４３】
また、アンテナ導体１１１、１１２と、マグネットシート４０との電気的な絶縁確保のため、絶縁シート５０が備えられる。支持板６０の開口部６１は、スピーカコイル導体１２の配置に合わせて形成されている。
【００４４】
以上、好ましい実施例を参照して本発明の内容を具体的に説明したが、本発明の基本的技術思想及び教示に基づいて、当業者であれば、種種の変形態様を採り得ることは自明である。
【００４５】
【発明の効果】
以上述べたように、本発明によれば、次のような効果を得ることができる。
（ａ）安価で、薄型のアンテナ一体型スピーカを実現するのに適した基板、及び、アンテナ一体型スピーカを提供することができる。
（ｂ）効率的な空間利用に適うアンテナ一体型スピーカを実現するのに適した基板、及び、アンテナ一体型スピーカを提供することである。
（ｃ）設置場所の態様に追従可能なアンテナ一体型スピーカを実現するのに適した基板、及び、アンテナ一体型スピーカを提供することができる。
【図面の簡単な説明】
【図１】本発明に係る基板の平面図である。
【図２】図１に示したアンテナ一体型スピーカの平面図である。
【図３】図２に示したアンテナ一体型スピーカの背面図である。
【図４】図３の４−４線に沿った断面図である。
【図５】図４に示したアンテナ一体型スピーカの各構成部分を分解して示す図である。
【図６】アンテナ一体型スピーカの別の実施例を示す背面図である。
【図７】図６の７−７線に沿った断面図である。
【図８】本発明に係るアンテナ一体型スピーカの使用態様を示す一部省略側面図である。
【図９】図７を外側から見た一部省略側面図である。
【図１０】図８及び図９に示すアンテナ一体型スピーカの各構成部分を分解して示す図である。
【図１１】本発明に係る基板の別の実施例を示す平面図である。
【図１２】本発明に係る基板のさらに別の実施例を示す平面図である。
【図１３】図１２に示した基板の背面図である。
【図１４】アンテナ一体型スピーカのさらに別の実施例を示す背面図である。
【図１５】図１４の１５−１５線に沿った断面において、各構成部分を分解して示す図である。
【符号の説明】
１                アンテナ一体型スピーカ
１０              基板
１１１、１１２    アンテナ導体
１２              スピーカコイル導体
１５              絶縁基板
４０              マグネットシート
４１              貫通孔
５０              絶縁シート
６０              支持板
６１              開口部
【図１】
2004364045.tif 000003
【図２】
2004364045.tif 000004
【図３】
2004364045.tif 000005
【図４】
2004364045.tif 000006
【図５】
2004364045.tif 000007
【図６】
2004364045.tif 000008
【図７】
2004364045.tif 000009
【図８】
2004364045.tif 000010
【図９】
2004364045.tif 000011
【図１０】
2004364045.tif 000012
【図１１】
2004364045.tif 000013
【図１２】
2004364045.tif 000014
【図１３】
2004364045.tif 000015
【図１４】
2004364045.tif 000016
【図１５】
2004364045.tif 000017